(57)【要約】【課題】コンソールのない場所でも簡易に撮影を行うことができ、撮影画像等をその場で簡易・迅速に確認することを可能とすることのできる放射線画像表示システムを提供する。【解決手段】可搬型に構成され撮影画像を得る放射線画像撮影装置２と、放射線画像撮影装置２との間で通信可能な端末装置４とを備える放射線画像表示システム１であって、放射線画像撮影装置２は、撮影画像をデータとして記憶する画像データ記憶部３１と、Ｗｅｂサーバー機能により、画像データ記憶部３１に記憶されているデータに基づく撮影画像を閲覧するための閲覧情報を端末装置４に対して提供可能な通信機能部２５２とを備えており、端末装置４は、各種データに基づいて表示を行う表示部４１と、通信機能部２５２と通信を行い、放射線画像撮影装置２から閲覧情報を取得して、閲覧情報に基づき、撮影画像を表示部４１に表示させる閲覧機能部４５１とを備えている。【選択図】図３
2018187093.tif 000002
【特許請求の範囲】
【請求項１】
可搬型に構成され放射線検出器を用いて放射線画像撮影を行い撮影画像を得る放射線画像撮影装置と、前記放射線画像撮影装置との間で通信可能な端末装置と、を備える放射線画像表示システムであって、
前記放射線画像撮影装置は、
前記撮影画像をデータとして記憶する画像データ記憶部と、
Ｗｅｂサーバー機能により、前記画像データ記憶部に記憶されている前記データに基づく前記撮影画像を閲覧するための閲覧情報を前記端末装置に対して提供可能な提供部と、
を備えており、
前記端末装置は、
各種データに基づいて表示を行う表示部と、
前記提供部と通信を行い、前記放射線画像撮影装置から前記閲覧情報を取得して、前記閲覧情報に基づき、前記撮影画像を前記表示部に表示させる閲覧機能部と、
を備えていることを特徴とする放射線画像表示システム。
【請求項２】
前記放射線画像撮影装置は、前記放射線画像撮影に関する撮影オーダー情報を、端末装置に提供可能な状態で記憶する撮影オーダー情報記憶部をさらに備えていることを特徴とする請求項１に記載の放射線画像表示システム。
【請求項３】
前記提供部は、前記撮影オーダー情報記憶部内の前記撮影オーダー情報を前記閲覧機能部からの要求に応じて前記端末装置に提供可能であり、
前記閲覧機能部は、前記提供部により提供された前記撮影オーダー情報を前記表示部に表示させるようになっていることを特徴とする請求項２に記載の放射線画像表示システム。
【請求項４】
前記撮影オーダー情報の中から任意の撮影オーダー情報を設定する設定部と、
前記放射線検出器により撮影された前記撮影画像のデータを、前記設定部により設定された設定撮影オーダー情報と対応付けて記憶させる記憶制御部と、
をさらに備えていることを特徴とする請求項２又は請求項３に記載の放射線画像表示システム。
【請求項５】
前記設定部は、前記端末装置に設けられており、
前記閲覧機能部は、前記設定部により設定された前記設定撮影オーダー情報を、前記提供部に返送することを特徴とする請求項４に記載の放射線画像表示システム。
【請求項６】
前記放射線画像撮影装置の前記放射線検出器は、前記端末装置の前記閲覧機能部から前記設定撮影オーダー情報が返送されることで撮影可能状態に遷移し、
前記記憶制御部は、前記撮影可能状態の下で撮影された前記撮影画像のデータと前記設定撮影オーダー情報とを対応付けて記憶させることを特徴とする請求項５に記載の放射線画像表示システム。
【発明の詳細な説明】
【技術分野】
【０００１】
本発明は、放射線画像表示システムに関する。
【背景技術】
【０００２】
従来、医療用の放射線画像を取得する手段として、いわゆるフラットパネルディテクタ（Flat Panel Detector：ＦＰＤ）と呼ばれる固体撮像素子を２次元的に配置した放射線画像撮影装置が知られている。
そして近年では、内部にバッテリーを内蔵するとともに端末装置との間で無線通信可能に構成され、ケーブルレスで撮影を行うことが可能な可搬型に構成されたカセッテ型の放射線画像撮影装置が開発されている。
このような構成の放射線画像撮影装置は、患者のベッドサイド等におけるポータブル撮影を行うことも可能であり、患者の状況等に応じた自由度の高い撮影が可能となる。
【０００３】
放射線画像撮影装置において撮影した画像はできるだけ速やかに確認することが望まれる。このため、例えば据置型のコンソールが設置されている診察室ではない場所で撮影が行われたような場合、ユーザーは据置型のコンソールのある場所まで行かなくても手元にあるモバイル端末装置等において撮影画像を確認できることが好ましい。
また、据置型のコンソールから離れた場所で撮影が行われる場合には、コンソールを介さなくても撮影画像と撮影対象である患者の情報（患者の識別情報等を含む撮影オーダー情報等）とが確実に対応付けられるようにすることが望まれる。
【０００４】
この点、例えば特許文献１には、コンソールによる制御を受けなくても放射線画像撮影装置単独で撮影を行うことが可能なシステムが開示されている。
特許文献１に記載のシステムでは、撮影を行うごとに、放射線画像撮影装置側で撮影画像のデータに異なるＩＤを対応付けて記憶手段に記憶させ、端末装置は放射線画像撮影装置からこのＩＤを取得して撮影オーダー情報と対応付け、コンソールは、放射線画像撮影装置が接続されると撮影画像のデータ及びＩＤの組を取得し、端末装置が接続されると撮影オーダー情報及びＩＤの組を取得し、ＩＤに基づいて撮影画像のデータと撮影オーダー情報とを対応付けるようになっている。
このように構成することで、放射線画像撮影装置単独で撮影を行う場合でも撮影画像のデータと患者の情報とを確実に対応付けることができる。
【先行技術文献】
【特許文献】
【０００５】
【特許文献１】特開２０１６−１０１２１０号公報
【発明の概要】
【発明が解決しようとする課題】
【０００６】
しかしながら、特許文献１に記載のシステムは、端末装置に専用のソフトウェアをインストールした上での運用が前提となっており、手元にある携帯端末装置（スマートフォン等）を簡易に用いることが難しい。
また、特許文献１に記載の端末装置は撮影画像のＩＤのみを取得するものであって、その場で撮影画像を確認するモニターとして端末装置を利用することは想定されていない。
このため、撮影画像を確認するためにはコンソールまで移動しなければならず、撮影後簡易かつ迅速に撮影画像を確認したいとの要望を叶えることはできなかった。
【０００７】
本発明は上記事情に鑑みてなされたものであり、コンソールのない場所でも簡易に撮影を行うことができ、撮影画像等をその場で簡易・迅速に確認することを可能とする放射線画像表示システムを提供することを目的とする。
【課題を解決するための手段】
【０００８】
上記課題を解決するため、請求項１に記載の放射線画像表示システムは、
可搬型に構成され放射線検出器を用いて放射線画像撮影を行い撮影画像を得る放射線画像撮影装置と、前記放射線画像撮影装置との間で通信可能な端末装置と、を備える放射線画像表示システムであって、
前記放射線画像撮影装置は、
前記撮影画像をデータとして記憶する画像データ記憶部と、
Ｗｅｂサーバー機能により、前記画像データ記憶部に記憶されている前記データに基づく前記撮影画像を閲覧するための閲覧情報を前記端末装置に対して提供可能な提供部と、
を備えており、
前記端末装置は、
各種データに基づいて表示を行う表示部と、
前記提供部と通信を行い、前記放射線画像撮影装置から前記閲覧情報を取得して、前記閲覧情報に基づき、前記撮影画像を前記表示部に表示させる閲覧機能部と、
を備えていることを特徴とする。
【発明の効果】
【０００９】
本発明によれば、コンソールのない場所でも簡易に撮影を行うことができ、撮影画像等をその場で簡易・迅速に確認することができる。
【図面の簡単な説明】
【００１０】
【図１】第１の実施形態における放射線画像撮影装置の要部ブロック図である。
【図２】第１の実施形態における端末装置の要部ブロック図である。
【図３】第１の実施形態における放射線画像表示システムのＨＴＴＰサーバー機能及びＷｅｂサーバー機能のソフトウェア構成を示す概略構成図である。
【図４】撮影画像表示処理における表示画面例を示す図である。
【図５】撮影画像表示処理における表示画面例を示す図である。
【図６】第１の実施形態における放射線画像表示処理を示すシーケンス図である。
【図７】第２の実施形態における放射線画像表示システムのＨＴＴＰサーバー機能及びＷｅｂサーバー機能のソフトウェア構成を示す概略構成図である。
【図８】撮影オーダー処理における表示画面例を示す図である。
【図９】撮影オーダー処理における表示画面例を示す図である。
【図１０】第２の実施形態における放射線画像表示処理を示すシーケンス図である。
【発明を実施するための形態】
【００１１】
以下、図面を参照して本発明の実施形態について説明する。
ただし、以下に述べる実施形態には、本発明を実施するために技術的に好ましい種々の限定が付されているが、本発明の技術的範囲を以下の実施形態および図示例に限定するものではない。
【００１２】
［第１の実施形態］
まず、図１から図６を参照して、本発明にかかる放射線画像表示システムの第１の実施形態について説明する。
図１は、本実施形態における放射線画像撮影装置の要部ブロック図であり、図２は、本実施形態における端末装置の要部ブロック図である。
また、図３は、本実施形態の放射線画像システムにおけるＨＴＴＰサーバー機能及びＷｅｂサーバー機能のソフトウェア構成を示す概略構成図である。
本実施形態の放射線画像表示システム１（図３参照）は、可搬型に構成され放射線検出器２１（図１参照）を用いて放射線画像撮影を行い撮影画像を得る放射線画像撮影装置２と、放射線画像撮影装置２との間で通信可能な端末装置４（図２参照）とを備えており、放射線画像撮影装置２において撮影された撮影画像を端末装置４において簡易に閲覧することができるように構成されたものである。
【００１３】
［放射線画像撮影装置について］
本実施形態において放射線画像撮影装置２は、撮影動作を統括制御する据置型の制御装置（コンピュータ）であるコンソール６（図３参照）からの密な制御を受けることなく単独で撮影を行うことが可能なものである。
図１に示すように、本実施形態の放射線画像撮影装置２は、放射線検出器２１、入力操作部２２、バッテリー２３、通信部２４、制御装置２５において、画像データ記憶部３１、ＨＴＭＬコンテンツ記憶部３２等を備えて構成されている。
放射線画像撮影装置２を構成する放射線検出器２１、入力操作部２２、バッテリー２３、通信部２４、制御装置２５、画像データ記憶部３１、ＨＴＭＬコンテンツ記憶部３２等はバス２０を介して相互に各種情報の授受が可能に接続されている。
【００１４】
本実施形態の放射線画像撮影装置２は、可搬型に構成され、図１に示す放射線検出器２１を用いて放射線画像撮影を行い、撮影画像を得るものであり、例えば、いわゆるフラットパネルディテクタ（Flat Panel Detector：ＦＰＤ）と呼ばれる固体撮像素子を２次元的に配置したものである。
放射線画像撮影装置２は、後述するように、無線方式にて各種の端末装置４との間でデータ等の送受信が可能に構成されている。また、ケーブルレスで円滑に使用することができるように、バッテリー２３を内蔵している。
このように本実施形態の放射線画像撮影装置２は、可搬型に構成されているため、患者のベッドサイドにおけるポータブル撮影等、患者の状況等に応じた自由度の高い撮影が可能となっている。
【００１５】
放射線検出器２１は、制御装置２５の制御により、図示しない放射線源から照射され、被写体を透過した放射線を検出するものである。
なお、放射線検出器２１の具体的な構成は特に限定されず、例えば放射線検出素子として、ａ−Ｓｅ（アモルファスセレン）のような光導電物質を用いて放射線エネルギーを直接電荷に変換し、この電荷を２次元的に配置されたＴＦＴ（Thin Film Transistor：薄膜トランジスタ）等の信号読出し用のスイッチ素子によって画素単位に電気信号として読み出す直接方式のものや、放射線エネルギーをシンチレータ等で光に変換し、この光を２次元的に配置されたフォトダイオード等の光電変換素子で電荷に変換してＴＦＴ等によって電気信号として読み出す間接方式のもの等が適用可能である。
【００１６】
入力操作部２２は、ユーザーが入力操作を行うことが可能なものであり、例えば放射線画像撮影装置２の電源をＯＮとする電源スイッチ等である。
【００１７】
また、バッテリー２３は放射線画像撮影装置２の各部に電力を供給するものである。
放射線画像撮影装置２の電力供給源を内蔵型のバッテリー２３とすることでケーブル接続なしに自由度の高い撮影を行うことができる。
なお、本実施形態のバッテリー２３は、交換可能な一次電池、充電可能な二次電池（蓄電池）のいずれであっても適用可能である。
バッテリー２３の電池残量は後述の制御装置２５において把握されるようになっており、後述する端末装置４の閲覧機能部４５１からの要求に応じて経時的に変化する変動情報として端末装置４側に通知可能となっている。
【００１８】
通信部２４は、無線方式にて各種の端末装置４との間でデータ等の送受信を行うものであり、図示しないアンテナ等を備えて構成されている。
通信部２４は、通信制御部２６２の制御により動作する。
【００１９】
制御装置２５は、放射線画像撮影装置２の動作全体を制御するものである。
図１に示すように、制御装置２５は、ＣＰＵ（Central Processing Unit）等を備えて構成される制御部２６と、ＲＯＭ（Read Only Memory）２８、及びＲＡＭ（Random Access Memory）２９等を備える記憶部２７を備えている。
制御部２６は、放射線画像撮影装置２の撮影動作を制御する撮影制御部２６１と、外部機器との間で通信を行う際に通信部２４の動作を制御する通信制御部２６２、Ｗｅｂを介してイベント処理の要求があった場合にイベント処理を行うイベント制御部２６３とを備えている。
ＲＯＭ２８には、制御部２６で実行される各種の処理プログラム等が予め記憶されている。本実施形態では、ＲＯＭ２８に撮影制御プログラム２８１、ＨＴＴＰサーバープログラム２８２、イベント処理プログラム２８３等が格納されている。
また、ＲＡＭ２９は、各種処理に必要なデータ等を一時的に記憶するものである。
【００２０】
本実施形態では、撮影制御部２６１と撮影制御プログラム２８１とが協働することで撮影処理が実現されるようになっており、撮影制御部２６１とこれに読み込まれる撮影制御プログラム２８１とで撮影機能部２５１（図３参照）が構成されている。
図３に示すように、撮影機能部２５１は、撮影によって放射線検出器２１により取得された撮影画像の画像データを画像データ記憶部３１に記憶させる。
具体的には、撮影機能部２５１は、撮影オーダーを受けて撮影が行われると、当該撮影によって得られた撮影画像の画像データにそれぞれ固有の識別情報（これを以下「画像ＩＤ」という。）を付与し、この画像ＩＤが付された状態で撮影画像の画像データを画像データ記憶部３１に記憶させるようになっている。
【００２１】
また、通信制御部２６２とＨＴＴＰサーバープログラム２８２とが協働することで通信処理が実現されるようになっており、通信制御部２６２とこれに読み込まれるＨＴＴＰサーバープログラム２８２とで通信機能部２５２（図３参照）が構成されている。
本実施形態において通信機能部２５２は、Ｗｅｂサーバー機能により、後述の画像データ記憶部３１に記憶されているデータ（撮影画像の画像データ）に基づく撮影画像を閲覧するための閲覧情報を端末装置４に対して提供可能な提供部として機能するものである。
本実施形態において閲覧情報は、ＨＴＭＬコンテンツ記憶部３２に記憶されている撮影画像の画像データが保管されている位置を示すＰａｓｓ（フォルダパス）である。
また本実施形態では、後述するＷｅｂブラウザ機能を有する端末装置４の閲覧機能部４５１（図３参照）からコンテンツ取得要求等のリクエストがあったときに、これに応答して、要求に応じたＨＴＭＬファイル（ＨＴＭＬコンテンツ）等を提供する。
【００２２】
また、イベント制御部２６３とイベント処理プログラム２８３とが協働することでイベント実行処理が実現されるようになっており、イベント制御部２６３とこれに読み込まれるイベント処理プログラム２８３とでＣＧＩイベント処理部２５３（図３参照）が構成されている。
【００２３】
画像データ記憶部３１は、放射線検出器２１を用いて取得された撮影画像（放射線画像）をデータとして記憶するものであり、例えばＳＳＤ（Solid State Drive）等で構成されている。
前述のように、画像データ記憶部３１に記憶される撮影画像の画像データには、それぞれ固有の識別情報（画像ＩＤ）が対応付けられて記憶されている。
画像データ記憶部３１内に記憶されている画像データは、図３に示すように、放射線画像撮影装置２が診察室等に設置された据置型の制御装置（本実施形態ではコンソール６）と接続されることによりコンソール６側に送信され、送信が完了すると、順次消去されるようになっている。
なお、画像データ記憶部３１は、必ずしも放射線画像撮影装置２に内蔵されたものでなくてもよく、例えば、ＵＳＢ（Universal Serial Bus）メモリーやＳＤ（Secure Digital）メモリーカード（登録商標）等、放射線画像撮影装置２に着脱可能なものであってもよい。
【００２４】
ＨＴＭＬコンテンツ記憶部３２は、後述する端末装置４の閲覧機能部４５１（図２、図３参照）からコンテンツ取得要求があったときにレスポンスとして提供されるＨＴＭＬファイル（ＨＴＭＬコンテンツ）が記憶されている。
例えばＨＴＭＬファイルには放射線画像撮影装置２が保持する情報を端末装置４が表示部４１に表示させるための画面レイアウト情報が含まれており、閲覧機能部４５１はＨＴＭＬファイルを分析することにより、この画面レイアウト情報に基づいて端末装置４の表示部４１の表示画面上に閲覧画面を構成する。
本実施形態では、画面レイアウト情報として、大画面に適したレイアウトを構成するための大画面用コンテンツ３２１と、小画面に適したレイアウトを構成するための小画面用コンテンツ３２２とを有している。なお、ＨＴＭＬコンテンツ記憶部３２に記憶される画面レイアウト情報はここに例示したものに限定されず、さらに各種の画面サイズや解像度に対応して３種類以上の画面レイアウト情報が記憶されていてもよい。
【００２５】
また、ＨＴＭＬファイル内には、放射線画像撮影装置２が保持している撮影画像の画像データが保管されている位置を示すＰａｓｓ（フォルダパス）が記載されている。Ｗｅｂブラウザ機能を有する閲覧機能部４５１はこのＰａｓｓを取得することで放射線画像撮影装置２の画像データ記憶部３１内に記憶されている画像データに基づく撮影画像を表示部４１の表示画面上に表示させることが可能となる。
閲覧機能部４５１からの要求があった際には、撮影画像の画像データは、ＢＭＰ／ＪＰＥＧ／ＰＮＧ等、Ｗｅｂブラウザ機能により表示／解釈可能な一般的なフォーマットに変換された状態で閲覧機能部４５１に提供される。なお、撮影画像の画像データを一般的なフォーマットに変換するタイミングは特に限定されず、例えば予め変換された状態で用意されていてもよいし、閲覧機能部４５１から放射線画像撮影装置２の通信機能部２５２に対して閲覧要求があったときにその都度変換してもよい。
また、画像データ記憶部３１内には、閲覧機能部４５１に提供される撮影画像の画像データとして、一覧表示時に表示させるサムネイル画像と、詳細確認画面において表示させる詳細画像とがそれぞれ個別に保管され、それぞれに異なるＰａｓｓ（フォルダパス）が割り当てられていてもよい。
このようにサムネイル画像と詳細画像とを個別に保管しておくことにより、閲覧機能部４５１からの要求があった際の応答性を高めることができる。
【００２６】
さらに、閲覧画面上に表示される情報には、固定的に表記することができない変動情報が含まれている。変動情報とは、経時的に変化していく情報であり、例えば本実施形態ではバッテリー２３の残量に関する情報等である。
ＨＴＭＬファイル内には、こうした変動情報に基づく表示をすべき箇所にＣＧＩスクリプトファイルの名称が記載されている。
このようにＨＴＭＬファイル内にＣＧＩスクリプトファイルを埋め込んでおくことにより、閲覧機能部４５１からＣＧＩ実行要求があった際、ＣＧＩイベント処理部２５３がその時点でのステータスに応じてＨＴＭＬの部分的なスクリプトを動的に生成して閲覧機能部４５１に返信する。これにより変動情報箇所に最新のステータスに対応した内容が表示される。
【００２７】
［端末装置について］
本実施形態において端末装置４は、例えばスマートフォン等の携帯端末装置や、ノート型のパーソナルコンピューター（以下パーソナルコンピューターを「ＰＣ」とする。）、タブレット型のＰＣ等の持ち運びが容易な小型の装置である。
本実施形態では、ノート型のＰＣ等、表示部４１の表示画面が比較的大きい端末装置４と、携帯端末装置のように表示部４１の表示画面が比較的小さい端末装置４とが想定されている。
【００２８】
図２に示すように、端末装置４は、表示部４１、入力操作部４２、通信部４３、制御装置４５等を備えて構成されている。
端末装置４を構成する表示部４１、入力操作部４２、通信部４３、制御装置４５等はバス４０を介して相互に各種情報の授受が可能に接続されている。
【００２９】
表示部４１は、各種データに基づいて表示を行うものである。
本実施形態では、放射線画像撮影装置２による撮影によって得られた撮影画像や撮影画像のサムネイル画像等の画像データや放射線画像撮影装置２のＨＴＭＬコンテンツ記憶部３２に記憶されている表示画面を構成するコンテンツ（すなわち、図１に示す大画面用コンテンツ３２１、小画面用コンテンツ３２２）に基づく表示画面、その他各種の画像等の表示を行う。
表示部４１は表示制御部４６１の制御に基づいて各種表示画面を表示させるようになっている。
なお、本実施形態の表示部４１の表示画面上には入力操作部４２を構成するタッチパネルがとして構成されており、タッチパネルの操作により各種の入力操作ができるようになっている。
【００３０】
図４及び図５は、本実施形態における端末装置の一例を示す図であり、図４は、表示部４１に放射線画像撮影装置２から提供された撮影画像の一覧表示画面４１１が表示された状態を示しており、図５は、表示部４１に放射線画像撮影装置２から提供された撮影画像の詳細画像表示画面４１７が表示された状態を示している。
図４に示すように、本実施形態の一覧表示画面４１１では、リスト表示ボタン４１２、サムネイル画像を表示させるサムネイル表示ボタン４１３とが設けられており、図４では撮影画像の一覧がリスト表示された状態を例示している。
一覧表示画面４１１に表示される撮影画像のリストには、撮影画像のサムネイル画像４１４とその画像ＩＤ４１５との組が一覧表示され、また、各サムネイル画像４１４に対応する詳細画像表示画面４１７に遷移させる詳細化ボタン４１６が設けられている。
いずれかの詳細化ボタン４１６がユーザーによってタッチされると、このタッチ操作に対応する位置のサムネイル画像４１４に対応する詳細画像表示画面４１７に遷移する。
図５では、「画像Ｎｏ.８」との画像ＩＤ４１５が付された撮影画像の詳細画像表示画面４１７が例示されている。詳細画像表示画面４１７には閉じるボタン４１８が設けられており、閉じるボタン４１８がタッチされると、詳細画像表示画面４１７が閉じて元の一覧表示画面４１１に戻ることができる。
【００３１】
入力操作部４２は、ユーザーが入力操作を行うことが可能なものであり、例えば前述の表示部４１に一体的に構成されたタッチパネルや複数のキーで構成されるキーボード等である。また、入力操作部４２は、端末装置４と物理的に一体となったものに限定されず、例えば、有線方式又は各種の無線方式で端末装置４と接続されるマウス等のデバイスであってもよい。
【００３２】
通信部４３は、無線方式にて放射線画像撮影装置２等との間でデータ等の送受信を行うものであり、図示しないアンテナ等を備えて構成されている。
通信部４３は、通信制御部４６２の制御により動作する。
【００３３】
制御装置４５は、端末装置４の全体的な動作を制御するものである。
図２に示すように、制御装置４５は、ＣＰＵ（Central Processing Unit）等を備えて構成される制御部４６と、と、ＲＯＭ（Read Only Memory）４８、及びＲＡＭ（Random Access Memory）４９等を備える記憶部４７とを備えている。
【００３４】
制御部４６は、端末装置４の表示部４１を制御する表示制御部４６１と、外部機器との間で通信を行う際にその動作を制御する通信制御部４６２とを備えている。
ＲＯＭ２４８には、表示制御部４６１、通信制御部４６２で実行される各種の処理プログラム等が予め記憶されている。本実施形態では、ＲＯＭ２８に表示制御プログラム４８１とＷｅｂブラウザプログラム４８２等が格納されている。
また、ＲＡＭ２９は、各種処理に必要なデータ等を一時的に記憶するものである。
【００３５】
本実施形態では、表示制御部４６１、通信制御部４６２と表示制御プログラム４８１とＷｅｂブラウザプログラム４８２とが協働することで閲覧処理が実現されるようになっており、表示制御部４６１、通信制御部４６２とこれに読み込まれる表示制御プログラム４８１とＷｅｂブラウザプログラム４８２とで閲覧機能部４５１（図３参照）が構成されている。
図３に示すように、閲覧機能部４５１は、Ｗｅｂブラウザ機能を備えており、Ｗｅｂサーバー機能を有する放射線画像撮影装置２の提供部である通信機能部２５２との間で通信を行い、放射線画像撮影装置２から閲覧情報であるＰａｓｓ（フォルダパス）を取得して、このＰａｓｓ（フォルダパス）に基づき、撮影画像を表示部４１に表示させる。
また、本実施形態において閲覧機能部４５１は、放射線画像撮影装置２の通信機能部２５２に対してコンテンツを送るようにリクエストを行い、レスポンスとしてＨＴＭＬファイル（ＨＴＭＬコンテンツ）等の提供を受けると、これに基づいて表示部４１に適宜表示指示を行う。
さらに、本実施形態では、閲覧機能部４５１は、通信機能部２５２に対してＣＧＩ実行要求を行い、ＨＴＭＬコンテンツ内の変更情報箇所に対応するステータスの提供を受け、これを表示部４１の表示画面上に反映させるようになっている。
【００３６】
［放射線画像表示システムの作用］
次に、図６等を参照しつつ、本実施形態における放射線画像表示システム１の作用について説明する。
【００３７】
図６に示すように、本実施形態における放射線画像撮影装置２の撮影機能部２５１は、コンソール６からの撮影実行要求（撮影オーダー）が来るまでは放射線検出器２１を待機状態とし（ステップＳ１）、仮に放射線が照射されてもこれに対して反応せず、放射線の検出を行わない状態に維持している。
撮影を行う場合には、コンソール６の制御部６１は、撮影機能部２５１に対して撮影実行要求を送信する（ステップＳ２）。撮影実行要求は具体的には以下のように行われる。
すなわち、図３に示すように、コンソール６には、撮影オーダー情報が記憶された撮影オーダー情報記憶部６２が設けられており、コンソール６の制御部６１は、撮影オーダー情報記憶部６２に記憶されている撮影オーダー情報の中から順次撮影オーダーを放射線画像撮影装置２に対して入力する。このとき、制御部６１は、個々の撮影オーダーにそれぞれ固有の撮影オーダーＩＤを付す。
【００３８】
コンソール６から撮影オーダー情報が送られると、撮影機能部２５１は、放射線検出器２１を放射線検出可能状態に遷移させる（ステップＳ３）。
そして図示しない放射線源から放射線が曝射されると、被写体である患者の撮影部位を透過した放射線が放射線検出器２１により検出され（ステップＳ４）、撮影画像が生成される（ステップＳ５）。
撮影機能部２５１は、生成された撮影画像の画像データに固有の画像ＩＤを付与して画像データ記憶部３１に保存する（ステップＳ６）。そして、再度放射線検出器２１を待機状態とする（ステップＳ７）。また、撮影機能部２５１は、画像ＩＤの付された撮影画像の画像データをコンソール６に送信する。
コンソール６は撮影画像の画像データが放射線画像撮影装置２から送られると、当該撮影が行われた際の撮影オーダーに付された撮影オーダーＩＤを当該撮影画像の画像データと対応付けて画像データ＋撮影オーダーＩＤ記憶部６３に保存する。
撮影機能部２５１は、コンソール６に撮影画像の画像データを送信すると、当該撮影画像の画像データを放射線画像撮影装置２側の画像データ記憶部３１から消去する。
【００３９】
本実施形態において、端末装置４において撮影画像等を閲覧する放射線画像表示処理を行う場合には、まず端末装置４のＷｅｂブラウザを起動させる（ステップＳ１１）。
そして、撮影画像等を閲覧する画面を表示させる場合には、ユーザーがタッチパネル等の入力操作部４２からｏｎＣｌｉｃｋイベントを入力する（ステップＳ１２）。Ｗｅｂブラウザ機能を有する閲覧機能部４５１は、入力操作部４２における操作の態様等に基づいて入力されたイベントの内容を解析し、これが閲覧画面（メイン画面）の取得要求である場合には、放射線画像撮影装置２の通信機能部２５２に対してコンテンツＧＥＴ要求（「ＨＴＴＰ“ＧＥＴ”」すなわち、閲覧画面（メイン画面）の取得要求、ステップＳ１３）を行う。Ｗｅｂサーバー機能を有する通信機能部２５２は、閲覧機能部４５１からコンテンツＧＥＴ要求が送られると、「ＨＴＴＰ“ＧＥＴ”」の情報内の「Ｕｓｅｒ-Ａｇｅｎｔ」の情報を参照し、要求元の種別（画面サイズ、解像度等）を識別する（ステップＳ１４）。そして、識別結果に基づいて、要求元の種別（画面サイズ、解像度等）に応じたＨＴＭＬファイル（ＨＴＭＬコンテンツ）を端末装置４の閲覧機能部４５１に返信する（ステップＳ１５）。
【００４０】
すなわち、通信機能部２５２は、「Ｕｓｅｒ-Ａｇｅｎｔ」の情報からコンテンツＧＥＴ要求の要求元が大画面を有するタブレット型のＰＣであると判断した場合には、レスポンスとして大画面用コンテンツ３２１を送信し、ＧＥＴ要求の要求元が小画面を有する携帯端末装置であると判断した場合には、レスポンスとして小画面用コンテンツ３２２を送信する。
通信機能部２５２からＨＴＭＬファイル（ＨＴＭＬコンテンツ）を取得すると、閲覧機能部４５１はＨＴＭＬファイルを分析してＨＴＭＬファイルに含まれる画面レイアウト情報を読み取り、この画面レイアウト情報に基づいて端末装置４の表示部４１の表示画面上に閲覧画面を構成する。そして、閲覧機能部４５１はこの返信内容に応じた画面を表示部４１に表示させる（ステップＳ１６）。これにより、例えば、表示部４１が小画面である携帯端末装置である場合には、図４に示すような画面が表示される。
このように、端末装置４の種別に合わせて適した画面レイアウト情報を含むＨＴＭＬファイル（ＨＴＭＬコンテンツ）を端末装置４側に返送することにより、任意の端末装置４において使いやすい表示画面を提供することができる。
【００４１】
また、撮影画像等を表示部４１に表示させたい場合には、ユーザーがタッチパネル等の入力操作部４２からｏｎＣｌｉｃｋイベントを入力する（ステップＳ１７）。閲覧機能部４５１は、入力操作部４２における操作の態様等に基づいて入力されたイベントの内容を解析し、これが撮影画像の取得要求である場合（例えば、ユーザーがいずれかの詳細化ボタン４１６をタッチした場合）には、通信機能部２５２に対して画像を閲覧するためのＰａｓｓ（パスフレーズ）のＧＥＴ要求（「ＨＴＴＰ“ＧＥＴ”」すなわち、Ｐａｓｓ（パスフレーズ）の取得要求、ステップＳ１８）を行う。
閲覧機能部４５１からＰａｓｓＧＥＴ要求が送られると、通信機能部２５２は、画像閲覧用のＰａｓｓを端末装置４の閲覧機能部４５１に返信する（ステップＳ１９）。
通信機能部２５２からＰａｓｓが送信されると、閲覧機能部４５１は当該Ｐａｓｓにより放射線画像撮影装置２の画像データ記憶部３１にアクセスし、撮影画像を表示部４１の表示画面（例えば図５の詳細画像参照）に表示させる（ステップＳ２０）。
【００４２】
また、例えば閲覧画面（メイン画面）の取得要求等をした際に、通信機能部２５２から端末装置４の閲覧機能部４５１に返信されたＨＴＭＬファイル（ＨＴＭＬコンテンツ）内にＣＧＩスクリプトファイルが埋め込まれている場合には、閲覧機能部４５１は通信機能部２５２に対してＣＧＩ実行要求（変動情報更新要求）を行う（ステップＳ２１）。
通信機能部２５２は、閲覧機能部４５１から送信された要求内容の字句を解析し、これが変動情報の更新を求めるＣＧＩであると特定すると（ステップＳ２２）、ＣＧＩイベント処理部２５３に対してＣＧＩルーチンの実行を求める（ステップＳ２３）。
ＣＧＩルーチンの実行を求められると、ＣＧＩイベント処理部２５３はその時点でのステータスに応じてＨＴＭＬの部分的なスクリプトを動的に生成し、通信機能部２５２に対して応答する（ステップＳ２４）。
通信機能部２５２は、ＣＧＩイベント処理部２５３から送られたステータスを閲覧機能部４５１に返信する（ステップＳ２５）。
これにより、変動情報箇所（例えばバッテリー２３の残量表示箇所等）に最新のステータスに対応した内容が嵌め込まれた状態表示画面が表示部４１に表示される（ステップＳ２６）。
【００４３】
［放射線画像表示システムの効果］
以上のように、本実施形態の放射線画像表示システムによれば、放射線画像撮影装置２側に撮影画像をデータとして記憶する画像データ記憶部３１と、Ｗｅｂサーバー機能により画像データ記憶部３１に記憶されているデータに基づく撮影画像を閲覧するための閲覧情報を端末装置４に対して提供可能な提供部としての通信機能部２５２とを備え、端末装置４側には、各種データに基づいて表示を行う表示部４１と、通信機能部２５２と通信を行い、放射線画像撮影装置２から閲覧情報を取得して、閲覧情報に基づいて撮影画像を表示部４１に表示させる閲覧機能部４５１とを備えている。
【００４４】
これにより、放射線画像撮影装置２で撮影された撮影画像等を、手元の端末装置４で簡易に閲覧、確認することができ、再撮影の要否の判断や、画像による患部の診断等を簡易かつ迅速に行うことができる。
また、端末装置４側で撮影画像を表示させるために放射線画像撮影装置２から端末装置４に送られるのはファイルの位置を特定するＰａｓｓのみであり、画像データ自体を送信しないため、送受信するデータが軽くて済み、比較的脆弱な通信環境の下でも迅速に撮影画像の閲覧を行うことができる。
そして、端末装置４側では放射線画像撮影装置２の画像データ記憶部３１に保存された画像データをＷｅｂブラウザ機能によって閲覧できるのみであり、撮影画像の画像データや撮影オーダー情報の管理・保管を行わないため、万が一端末装置４が故障、破損等した場合でも、撮影画像の画像データや撮影オーダー情報、撮影画像の画像データと撮影オーダー情報とを対応付けるために必要な画像ＩＤ等が失われる危険がない。
また、これらのデータや情報は極めてプライバシー性の高いものであるところ、これを持ち出し容易な可搬型の端末装置４のメモリー内に取り込まないことで、個人情報の保護にも資する。
【００４５】
［第２の実施形態］
次に、図７から図１０を参照して、本発明にかかる放射線画像表示システムの第２の実施形態について説明する。
なお、本実施形態は、端末装置の機能、役割が第１の実施形態と異なるものであるため、以下においては、特に第１の実施形態と異なる点について説明する。
【００４６】
図７は、本実施形態における放射線画像表示システムのＨＴＴＰサーバー機能及びＷｅｂサーバー機能のソフトウェア構成を示す概略構成図である。
図７に示すように、本実施形態では、放射線画像撮影装置２が、撮影に関する撮影オーダー情報（患者名、撮影部位等)を端末装置４に提供可能な状態で記憶する撮影オーダー情報記憶部３７を備えている。
撮影オーダー情報記憶部３７に記憶される撮影オーダー情報は、予めコンソール６等から放射線画像撮影装置２に送信され、記憶されるものである。
また、本実施形態では、ＨＴＭＬコンテンツにＪａｖａ Ｓｃｒｉｐｔ（登録商標）等のプログラム言語が埋め込まれた状態で放射線画像撮影装置２のＨＴＭＬコンテンツ＋Java Script記憶部３５に記憶されている。
このため、第１の実施形態と同様にＷｅｂブラウザ機能を有する端末装置４の閲覧機能部４５１からからＷｅｂサーバー機能を有する放射線画像撮影装置２の通信機能部２５２に対してＨＴＭＬコンテンツの取得要求が送信された際には、Ｊａｖａ Ｓｃｒｉｐｔが埋め込まれた状態のＨＴＭＬコンテンツが端末装置４から放射線画像撮影装置２に対して送信される。
【００４７】
そして、端末装置４から放射線画像撮影装置２に対してＨＴＭＬコンテンツの取得要求があった場合に、放射線画像撮影装置２から端末装置４に対して返信されるＨＴＭＬコンテンツの中には、現在放射線画像撮影装置２が保持している撮影オーダー情報を端末装置４の表示部４１において表示させるためのＣＧＩ実行要求が含まれる。
これにより、本実施形態では、端末装置４の表示部４１において撮影オーダー情報を閲覧することが可能となっている。
【００４８】
図８は、本実施形態において端末装置４の表示部４１に撮影オーダー情報一覧画面４２１が表示された状態を示す表示画面例である。
図８に示すように、撮影オーダー情報一覧画面４２１には、撮影対象となる患者の氏名、患者ＩＤ等が表示された患者情報表示欄４２２、患者情報表示欄４２２に表示されている患者に関して予定されている撮影オーダーが一覧表示された撮影オーダー表示欄４２３等が設けられている。
【００４９】
さらに、本実施形態では、後述するように、ＣＧＩ実行要求内に、ユーザーがタッチパネル等の入力操作部４２を操作することにより、ある撮影オーダーが選択された際には、撮影実行要求（撮影オーダー）のＣＧＩルーチンが実行されるように予め設定されている。
これにより、端末装置４の入力操作部４２を、撮影オーダー情報の中から任意の撮影オーダー情報（設定撮影オーダー情報）を設定する設定部として機能させることができる。
そして当該ＣＧＩルーチン内では撮影実行要求において撮影制御プログラム２８１により選択された撮影オーダーＩＤを通知して撮影の実行を指示するよう設計しておく。このように設計することにより、端末装置４のＷｅｂブラウザ機能により撮影オーダーを選択（すなわち、設定撮影オーダー情報を設定）することで、当該撮影オーダー（設定撮影オーダー情報）と撮影された撮影画像の画像データとの対応付けを管理することが可能となる。そしてこのように対応付けされた、入力操作部４２により設定された設定撮影オーダー情報と放射線検出器２１により撮影された撮影画像の画像データとは、記憶制御部としての撮影機能部２５１により対応付けられて画像データ＋撮影オーダーＩＤ記憶部３６に記憶される。
【００５０】
例えば、図８の撮影オーダー表示欄４２３内において網掛けされている撮影オーダー（胸部・立位・Ｐ→Ａ）がユーザーの入力操作によって選択された場合、当該撮影オーダーについて放射線画像撮影装置２に対し撮影実行要求がなされる。
図９は、当該撮影実行要求に応じて撮影が行われた場合に端末装置４の表示部４１に表示される画面例である。
表示部４１には、撮影画像の一覧表示欄４２４が表示されるとともに、撮影オーダーに基づいて撮影された撮影画像が撮影結果表示欄４２５に表示される。
【００５１】
放射線画像撮影装置２には、撮影画像の画像データと撮影オーダーＩＤとが対応付けられて記憶される画像データ＋撮影オーダーＩＤ記憶部３６が設けられており、画像データと撮影オーダーＩＤとを対応付けて画像データ＋撮影オーダーＩＤ記憶部３６に記憶する。
また、撮影機能部２５１は、放射線画像撮影装置２がコンソール６に接続されたタイミングで、画像データ＋撮影オーダーＩＤ記憶部３６に記憶されている画像データとこれに対応付けられている撮影オーダーＩＤとの組をコンソール６に送信する。画像データ及び撮影オーダーＩＤが放射線画像撮影装置２から送信されると、コンソール６の制御部６１は、これを対応付けた状態のまま画像データ＋撮影オーダーＩＤ記憶部６３に記憶させる。
【００５２】
なお、その他の構成は、第１の実施形態と同様であることから、同一部材には同一の符号を付して、その説明を省略する。
【００５３】
次に、図１０等を参照しつつ、本実施形態における放射線画像表示システム１０の作用について説明する。
端末装置４において撮影画像等を閲覧する放射線画像表示処理を行う場合には、図１０に示すように、第１の実施形態同様、端末装置４のＷｅｂブラウザが起動させ（ステップ３１）、ユーザーがタッチパネル等の入力操作部４２からｏｎＣｌｉｃｋイベントを入力する（ステップＳ３２）。入力されたイベントが閲覧画面（メイン画面）の取得要求である場合には、閲覧機能部４５１は、放射線画像撮影装置２の通信機能部２５２に対してコンテンツＧＥＴ要求（「ＨＴＴＰ“ＧＥＴ”」）を行う（ステップＳ３３）。
なお、ステップＳ３１からステップＳ３６までの処理は、第１の実施形態の図６のステップＳ１１からステップＳ１６までの処理とほぼ同内容であるため説明を省略する。
前述のように、本実施形態では、コンテンツＧＥＴ要求に対して閲覧機能部４５１に返信されるＨＴＭＬファイル（ＨＴＭＬコンテンツ）内に撮影オーダー情報を端末装置４の表示部４１において表示させるためのＣＧＩ実行要求、Ｊａｖａ Ｓｃｒｉｐｔが含まれており、これにより、端末装置４の表示部４１において撮影オーダー情報を閲覧したり、撮影オーダーの中からいずれかを選択して撮影実行要求を行うことが可能となっている。
【００５４】
例えば、図８に示すような撮影オーダー情報一覧画面４２１を端末装置４の表示部４１に表示させ、その中から、ユーザーが撮影オーダーを選択すると、当該入力操作によってイベントが入力される（ステップＳ３７）。
閲覧機能部４５１は、入力操作部４２における操作の態様等に基づいて入力されたイベントの内容を解析し、これが撮影オーダーＩＤ：０１のＣＧＩ実行要求である場合には、放射線画像撮影装置２の通信機能部２５２に対してＣＧＩ実行要求（「ＨＴＴＰ “ＧＥＴ ／ｏｒｄｅｒ.ＣＧＩ？ｉｄ=１”」）を行う（ステップＳ３８）。
閲覧機能部４５１からＣＧＩ実行要求が送られると、通信機能部２５２は、字句解析してＣＧＩと特定し、当該入力操作が行われたクリック操作（タッチ操作）位置に対応するＣＧＩを実行すると判断する（ステップＳ３９）。そして、ＣＧＩイベント処理部２５３に対してＣＧＩルーチンの実行を指示する（ステップＳ４０）。
【００５５】
指示を受けたＣＧＩイベント処理部２５３は、撮影機能部２５１に対して撮影オーダーＩＤ：０１について撮影実行要求を行う（ステップＳ４１）。
これにより、撮影機能部２５１は、待機状態とされていた放射線検出器２１（ステップＳ４２）を、放射線検出可能状態に遷移させる（ステップＳ４３）。
なお、その後、ステップＳ４４からステップＳ４７までの処理は、第１の実施形態の図６のステップＳ４からステップＳ７までの処理とほぼ同内容であるため説明を省略する。
【００５６】
放射線検出器２１が放射線検出可能状態に遷移すると、撮影機能部２５１は撮影実行要求を実行した旨をＣＧＩイベント処理部２５３に応答し（ステップＳ４８）、ＣＧＩイベント処理部２５３は通信機能部２５２に対してＣＧＩイベント結果について応答する（ステップＳ４９）。
応答を受けた通信機能部２５２は、要求内容が受理された（ＨＴＴＰ“２００ ＯＫ”）旨を端末装置４の閲覧機能部４５１に対して送信する（ステップＳ５０）。
撮影実行要求（撮影オーダーＩＤ：０１）に応じて撮影された撮影画像を端末装置４の表示部４１に表示させたいときは、図８の撮影オーダー表示欄４２３内において撮影オーダーＩＤ：０１に対応する項目（例えば図８において網掛けされている撮影オーダー）をユーザーが入力操作を行うことで選択する。これにより、当該入力操作によってイベントが入力される（ステップＳ５１）。
【００５７】
イベントが入力されると、閲覧機能部４５１は、入力操作部４２における操作の態様等に基づいて入力されたイベントの内容を解析し、これが撮影オーダーＩＤ：０１に応じて撮影された撮影画像の取得要求である場合には、通信機能部２５２に対して画像を閲覧するためのＰａｓｓ（パスフレーズ）のＧＥＴ要求を行う（ステップＳ５２）。
閲覧機能部４５１からＰａｓｓＧＥＴ要求が送られると、通信機能部２５２は、画像閲覧用のＰａｓｓを端末装置４の閲覧機能部４５１に返信する（ステップＳ５３）。
通信機能部２５２からＰａｓｓが送信されると、閲覧機能部４５１は当該Ｐａｓｓにより放射線画像撮影装置２の画像データ＋撮影オーダーＩＤ記憶部３６にアクセスし、撮影画像を表示部４１の表示画面（例えば図９の撮影結果表示欄４２５参照）に表示させる（ステップＳ５４）。
【００５８】
なお、その他の点については、第１の実施形態と同様であることから、その説明を省略する。
【００５９】
以上のように、本実施形態によれば、第１の実施形態と同様の効果を得られる他、以下の効果を得ることができる。
すなわち、本実施形態では、放射線画像撮影装置２は、放射線画像撮影に関する撮影オーダー情報を、端末装置４に提供可能な状態で記憶する撮影オーダー情報記憶部３７を備えている。
これにより、特にデータ形式等を変換しなくても端末装置４に撮影オーダー情報を提供することができる。
【００６０】
また、本実施形態において、提供部である通信機能部２５２は、撮影オーダー情報記憶部３７内の撮影オーダー情報を閲覧機能部４５１からの要求に応じて端末装置４に提供可能であり、閲覧機能部４５１は、通信機能部２５２により提供された撮影オーダー情報を表示部４１に表示させるようになっている。
これにより、コンソール６まで移動しなくても、端末装置４の表示部４１において撮影オーダー情報を容易に確認することができる。
【００６１】
また、本実施形態では、撮影オーダー情報の中から任意の撮影オーダー情報を設定する設定部としての入力操作部４２、放射線検出器２１により撮影された撮影画像のデータを、入力操作部４２により設定された設定撮影オーダー情報と対応付けて記憶させる記憶制御部としての撮影機能部２５１を備えている。
これにより、入力操作部４２において撮影オーダー情報を設定すると、当該撮影オーダー情報（設定撮影オーダー情報）に対応して撮影された撮影画像の画像データがこの撮影オーダー情報と一義的に対応付けられ、撮影オーダー情報と撮影画像の画像データとの取り違いが生じるおそれ等を回避することができる。
【００６２】
また、本実施形態では、設定部としての入力操作部４２が端末装置４に設けられており、閲覧機能部４５１は、入力操作部４２により設定された設定撮影オーダー情報を、提供部である通信機能部２５２に返送する。
このため、コンソール６を介さなくても手元の端末装置４から簡易に撮影オーダーを設定することができる。
【００６３】
また、本実施形態では、放射線画像撮影装置２の放射線検出器２１は、端末装置４の閲覧機能部４５１から設定撮影オーダー情報が返送されることで撮影可能状態（すなわち放射線検出可能状態）に遷移し、記憶制御部としての撮影機能部２５１は、撮影可能状態の下で撮影された撮影画像のデータと設定撮影オーダー情報とを対応付けて記憶させる。
これにより、手元の端末装置４をあたかもコンソール６に代えて簡易に撮影動作をコントロールするリモートコントローラーのように用いることができ、コンソール６から離れた場所での撮影を簡易に実行することが可能となる。
【００６４】
［放射線画像撮影装置の変形例］
なお、以上本発明の実施形態について説明したが、本発明は、かかる実施形態に限定されず、その要旨を逸脱しない範囲で、種々変形が可能であることは言うまでもない。
【００６５】
例えば、上記各実施形態では、端末装置４側の閲覧機能部４５１からＨＴＭＬコンテンツのＧＥＴ要求があったときには、Ｗｅｂサーバー機能を有する通信機能部２５２が「ＨＴＴＰＧＥＴ」に含まれる情報から要求元の種別（画面サイズ、解像度等）を識別し、これに応じたコンテンツを送信する場合を例示したが、端末装置４側の表示部４１の画面サイズ、解像度等に応じた適切な表示を行わせるための手法はこれに限定されない。
例えば、ＨＴＭＬコンテンツ（又はスタイルシート）そのものに、閲覧環境に合わせて自動的に画面レイアウトを変更できるような記述を行ってもよい（レスポンシブ・ウェブデザイン）。
この場合にも、端末装置４の種別に関わらず、使いやすい画面レイアウトで表示部４１に画面を表示させることができ、手持ちの端末装置４を簡易にモニターとして利用することができるため便宜である。
【００６６】
また、第２の実施形態では、端末装置４の入力操作部４２が撮影オーダー情報を設定する設定部として機能する場合を例示したが、例えば放射線画像撮影装置２に設定部としての入力操作部を設けてもよい。
この場合にも撮影オーダー情報に対応して撮影された撮影画像の画像データが当該撮影オーダー情報（設定撮影オーダー情報）と一義的に対応付けられ、撮影オーダー情報と撮影画像の画像データとの取り違いが生じるおそれ等を回避することができる。
【００６７】
さらに、ＨＴＭＬ内に、端末装置４のＷｅｂブラウザ機能によりが実行可能なＪａｖａ Ｓｃｒｉｐｔ等のプログラム言語を埋め込んでおくことで、端末装置４上での撮影画像の階調操作等の画像処理を実行することも可能であり、端末装置４のみで簡易にコンソール６と同様の処理を行うことができる。
【００６８】
また、ＨＴＭＬコンテンツとして表示される表示画面に、各種ストア（例えばＡＰＰストアやＧｏｏｇｌｅ Ｐｌａｙ等）へのリンク先を表記しておいてもよい。
こうした各種ストアにより高度な処理を可能とする専用アプリケーションプログラムを用意し、これをリンク先として示すことで、端末装置４においてより高度な処理を行うことを希望するユーザーへのアナウンスを行うことができる。
【００６９】
また、ＨＴＭＬ５等に用意されている機能を駆使することにより、端末装置４が持つカメラ機能や各種コード読取機能と連携させたシステムを構築してもよい。
すなわち、例えばカメラ機能を用いて撮影対象である患者の写真を撮影したり、患者の腕に識別情報としてのバーコードやＱＲコード（登録商標）等を付したリストバンド等を装着しておき、これらの識別情報を端末装置４のカメラ等で読み取るようにすれば、より詳細なエビデンス保管やより確実な患者と撮影画像との対応付け（紐づけ）機能を提供することも可能となる。
【符号の説明】
【００７０】
１      放射線画像表示システム
２      放射線画像撮影装置
４      端末装置
２１    放射線検出器
２５    制御装置
２５１  撮影機能部
２５２  通信機能部
２５３  ＣＧＩイベント処理部
２６１  撮影制御部
２６２  通信制御部
２６３  イベント制御部
２８１  撮影制御プログラム
２８２  ＨＴＴＰサーバープログラム
２８３  イベント処理プログラム
３１    画像データ記憶部
３２    ＨＴＭＬコンテンツ記憶部
３７    撮影オーダー情報記憶部
４１    表示部
４５    制御装置
４６１  表示制御部
４６２  通信制御部
４５１  閲覧機能部
４８１  撮影制御プログラム
４８２  Ｗｅｂブラウザプログラム
【図１】
2018187093.tif 000003
【図２】
2018187093.tif 000004
【図３】
2018187093.tif 000005
【図４】
2018187093.tif 000006
【図５】
2018187093.tif 000007
【図６】
2018187093.tif 000008
【図７】
2018187093.tif 000009
【図８】
2018187093.tif 000010
【図９】
2018187093.tif 000011
【図１０】
2018187093.tif 000012